(57)【要約】【課題】  収納する物の種類に応じて鞄の使用形態を変えることで、外部からの衝撃に強く、鞄の内部に一定の安全な収納スペースを確保する鞄として使用することができ、さらに、筆記作業等をする机や台がない場所でも筆記作業等を可能とする鞄はなかった。本発明は、収納する物の種類に応じて鞄の使用形態を変えることを可能とし、さらに、筆記作業等を可能とする板、固定具を備えた構成の鞄を提供する。【解決手段】  鞄の正面と背面に板を設け、鞄の一部に紐を留める紐留め具を設け、鞄に設けた板は、クリップ受け部を設け、固定具、固定具小に設けた突起部を挿入するための穴を設ける。  固定具、固定具小には、紐を通すための紐通し部を設け、固定具の中央部に固定具小を収容する空間部を設ける。【選択図】図１
2020182760.tif 000002
【特許請求の範囲】
【請求項１】
鞄（１）の正面と背面に板（２）を設け、鞄（１）の一部に紐（８）を留める紐留め具（１０）を設け、鞄（１）に設けた板（２）は、固定具（３）、固定具小（４）に設けた突起部（５）を挿入するための穴（６）を設ける。
固定具（３）、固定具小（４）には紐（８）を通すための紐通し部（７）を設け、固定具（３）の中央部に固定具小（４）を収容する空間部（９）を設けた鞄。
板（２）に設けた穴（６）に固定具（３）、又は固定具小（４）に設けた突起部（５）を挿入し、固定することで、外部からの衝撃を抑え、鞄（１）の内部に一定の安全な収納スペースを確保することができる鞄。
【請求項２】
さらに、前記板（２）の一部にクリップ受け部（１７）を設け、板（２）の正面中央部分を平らな構成にすることで筆記作業等をする台としての使用を可能とする板（２）及び固定具（３）、固定具（４）を備えた構成の請求項１の鞄。
【発明の詳細な説明】
【技術分野】
【０００１】  本発明は、鞄に関し、収納する物の種類に応じて鞄の使用形態を変えることを可能とし、さらに、筆記作業等を可能とする板、固定具を備えた構成の鞄に関するものである。
【背景技術】
【０００２】  従来、鞄はビジネス用の鞄、旅行バック、買い物用バック、携帯可能なパソコン等の精密機器を入れて持ち運ぶ鞄等、使用する用途に応じた鞄の種類が存在している。
【先行技術文献】
【特許文献】
【０００３】
【特許文献１】特開２０１８−１３０５１４号公報
【特許文献１】特開２０１８−６８５６９号公報
【発明の概要】
【発明が解決しようとする課題】
【０００４】  従来の鞄は、次のような欠点があった。
外部からの衝撃に弱い携帯可能なパソコン等の精密機器や卵、瓶等のわれやすい物を入れる鞄は、硬質な素材で作られた買物専用カゴやアタッシュケース等のような鞄を用意する必要があり、柔軟性のある素材で作られた鞄に入れると衝撃に弱く、安全性に欠ける。また、買物専用カゴやアタッシュケース等の柔軟性のない素材で作られた鞄は、収納できるサイズが限られており、使用しないときは嵩張り不便であった。【０００５】  収納する物の種類に応じて鞄の使用形態を変えることができ、さらに、筆記作業等を可能とする板及び固定具を備えた構成の鞄はなかった。
本発明は、以上のような欠点をなくすために発明されたものである。
【課題を解決するための手段】
【０００６】  鞄（１）の正面と背面に板（２）を設け、鞄（１）の一部に紐（８）を留める紐留め具（１０）を設け、鞄（１）に設けた板（２）は、クリップ受け部（１７）を設け、固定具（３）、固定具小（４）に設けた突起部（５）を挿入するための穴（６）を設ける。
固定具（３）、固定具小（４）には、紐（８）を通すための紐通し部（７）を設け、固定具（３）の中央部に固定具小（４）を収容する空間部（９）を設ける。
以上の構成よりなる鞄である。
【発明の効果】
【０００７】  本発明を使用することによって、収納する物の種類に応じて鞄の使用形態を変えることで、外部からの衝撃に強く、鞄の内部に一定の安全な収納スペースを確保する鞄として使用することができ、さらに、筆記作業等をする机や台がない場所でも筆記作業等を可能とする鞄として使用することができる。
【図面の簡単な説明】
【０００８】
【図１】  本発明の実施の形態に係る鞄の構成例を示す斜視図
【図２】  本発明の実施の形態に係る鞄の構成例を示す斜視図
【図３】  本発明の鞄に設けた留め具と固定具、固定具小を紐で繋げて、鞄をコンパクトにした構成例を示す斜視図
【図４】  本発明の実施の形態に係る鞄の構成例を示す斜視図
【図５】  本発明の鞄に設けた板の構成例を示す正面図
【図６】  本発明の鞄に設けた板の構成例を示す側面図
【図７】  本発明の鞄に設けた固定具、固定具小の紐通し部に紐を通した状態を示す説明図
【図８】  本発明の鞄に設けた固定具の構成例を示す斜視図
【図９】  本発明の鞄に設けた固定具小の構成例を示す斜視図
【図１０】  本発明の鞄の使用例を示す説明図
【図１１】  本発明の鞄の使用例を示す説明図
【図１２】  本発明の鞄の使用例を示す説明図
【発明を実施するための形態】
【０００９】以下、本発明の実施の形態を説明する。
鞄（１）の正面と背面に板（２）を設け、鞄（１）の一部に紐（８）を留める紐留め具（１０）を設け、鞄（１）に設けた板（２）は、固定具（３）、固定具小（４）に設けた突起部（５）を挿入するための穴（６）を設ける。
固定具（３）、固定具小（４）には、紐（８）を通すための紐通し部（７）を設け、固定具（３）の中央部に固定具小（４）を収容する空間部（９）を設ける。
板（２）に設けた穴（６）に固定具（３）、又は固定具小（４）に設けた突起部（５）を挿入し、固定することで、外部からの衝撃を抑え、鞄（１）の内部に一定の安全な収納スペースを確保することができる。
さらに、板（２）の一部にクリップ受け部（１７）を設け、板（２）の正面中央部分を平らな構成にすることで筆記作業等を可能とする板（２）及び固定具（３）、固定具小（４）を備えた鞄。
本発明は以上の構成よりなる。
【実施例】
【００１０】  図３に示すように鞄（１）本体を布地等の柔軟な素材で構成することで嵩張らずコンパクトにした状態から、鞄（１）の正面と背面に設けた板（２）の穴（６）に固定具（３）、又は固定具小（４）に設けた突起部（５）を挿入し、固定すると図１、図２、図４、図１０、図１１、図１２に示す状態になり、鞄（１）本体を柔軟な素材で構成された鞄（１）でも外部からの衝撃を抑え、鞄（１）の内部に一定の安全な収納スペースを確保することができる。【００１１】  図１に示すように鞄（１）の底面部（１２）が、固定具（３）により広く固定されることで取手（１１）、又は開閉するためのファスナー（１３）を上方向に安定して置くことができる。【００１２】  図２に示す鞄（１）は、固定具小（４）で固定され、鞄（１）内部の収納スペースは図１に示す鞄（１）の状態よりも狭くなるため、重要書類や携帯可能なノート型パソコン等を入れて持ち運ぶ鞄（１）として使用するのに適した構成の鞄となる。【００１３】  図４に示すようにリュックのように背負うタイプの鞄（１）は、板（２）の正面中央部分が空いている板（２）を使用し、背中に当たる部分を柔らかい素材で構成する。
また、図４に示す固定具（３）は、固定具小（４）を収容する空間を設けず長方形の形をした固定具（３）の構成例としている。【００１４】  図５は、板（２）の正面図を示し、図６は、板（２）の側面図を示す。板（２）の一部に設けたクリップ受け部（１７）は、クリップ（１８）を挟んで固定できるよう鞄（１）に密着しない状態で設ける。
図６に示すように板（２）に設けた穴（６）の形状は、楕円形が好ましい。円形にすると突起部（５）と穴（６）の摩擦が少なく、中で回転するため、円形の丸い形状は適さない。【００１５】  図８は、固定具（３）の構成例を示し、図９は、固定具小（４）の構成例を示す。図８に示す固定具（３）に設けた空間部（９）に図９に示す固定具小（４）を挿入することで、図７に示すように固定具小（４）をコンパクトに収容し、固定具（３）、固定具小（４）に紐通し部（７）に通した紐（８）により鞄（１）と繋げることで、図３に示すように固定具（３）、固定具小（４）を使用しない場合でも、簡易に鞄（１）に繋げた状態で持ち運ぶことができる。【００１６】  図１０は、鞄（１）の板（２）に固定具（３）を固定し、鞄（１）の板（２）を筆記台にして紙（１４）をクリップ（１８）で挟んで固定して筆記作業をしている状態を示す使用例である。ビジネス用の鞄（１）として使用する場合は、クリップ（１８）ではなく、板（２）をバインダー形状の構成にすると筆記作業がさらに機能的に出来る。
また、ノート型パソコンを持ち運ぶ鞄（１）として使用した場合、マウス（１５）を操作する平らな場所がなくても、図１１に示すように鞄（１）の板（２）をマウス（１５）の操作台として使用することが可能となる。【００１７】  図１２は、紐（８）に肩掛け紐（１６）を繋げて画板のように使用する使用例である。
【符号の説明】
【００１８】１  鞄
２  板
３  固定具
４  固定具小
５  突起部
６  穴
７  紐通し部
８  紐
９  空間部
１０  紐留め具
１１  取手
１２  底面部
１３  ファスナー
１４  紙
１５  マウス
１６  肩掛け紐
１７  クリップ受け部
１８  クリップ
【図１】
2020182760.tif 000003
【図２】
2020182760.tif 000004
【図３】
2020182760.tif 000005
【図４】
2020182760.tif 000006
【図５】
2020182760.tif 000007
【図６】
2020182760.tif 000008
【図７】
2020182760.tif 000009
【図８】
2020182760.tif 000010
【図９】
2020182760.tif 000011
【図１０】
2020182760.tif 000012
【図１１】
2020182760.tif 000013
【図１２】
2020182760.tif 000014